(57)【要約】【課題】工事現場等の状況に応じて、地面に対する起立角度を容易に変更することができる工事用黒板を提供すること。【解決手段】黒板本体１と、黒板本体を起立させるための脚３とを有し、前記脚３の基端部を黒板本体１の裏面側に設けた脚取付部４に回動可能に取り付ける工事用黒板において、前記脚取付部４は、前記脚３の基端部を回動可能に装着するための複数の脚装着部４１，４２を有し、それぞれの脚装着部４１，４２は、その脚装着部４１，４２に装着された脚３と当接して脚３の回動角度を他の脚装着部とは異なる所定の角度に規定するストッパー４１ｂ，４２ｂを有する。【選択図】　　図１
2004009643.tif 000002
【特許請求の範囲】
【請求項１】
黒板本体と、黒板本体を起立させるための脚とを有し、前記脚の基端部を黒板本体の裏面側に設けた脚取付部に回動可能に取り付ける工事用黒板において、前記脚取付部は、前記脚の基端部を回動可能に装着するための複数の脚装着部を有し、それぞれの脚装着部は、その脚装着部に装着された脚と当接して脚の回動角度を他の脚装着部とは異なる所定の角度に規定するストッパーを有することを特徴とする工事用黒板。
【請求項２】
前記脚は、黒板本体を起立させたときに地面と接触する位置に、滑り止めのための滑り止め部を有する請求項１に記載の工事用黒板。
【請求項３】
黒板本体の裏面側に、開口部となる一辺が伸縮性の素材からなる面状の布又は網体を、前記伸縮性の素材が張った状態で固定した請求項１又は２に記載の工事用黒板。
【請求項４】
黒板本体は、軟磁性材料からなる請求項１、２又は３に記載の工事用黒板。
【発明の詳細な説明】
【０００１】
【発明の属する技術分野】
本発明は、工事現場等において、工事名、工事明細、略図等を記載又は掲示し、また、現場写真として写真に写し込むための工事用黒板に関するものである。
【０００２】
【従来の技術】
工事用黒板は、工事現場等において、工事名、工事明細、略図等を記載又は掲示しておくものであり、その工事現場等の地面に起立させた状態で使用する。そのため、例えば図６に示すように、黒板本体１の裏面側に黒板本体１を起立させるための脚３を設けたものが多く使用されている。
【０００３】
図６に示す従来の工事用黒板では、脚３の基端部が黒板本体の裏面側に設けた２つの脚装着部４，４にそれぞれ回動可能に装着され、さらに、回動角度を所定の角度に規定するストッパー部材６が設けられている。このストッパー部材６は、図７に示すように、脚３の基端部近傍に設けられており、脚３の回動に合わせてストッパー部材６も回動する。そして、ストッパー部材６の突起部６ａが黒板本体１の裏面に当接することによって、脚３の回動が規制され、脚３の回動角度が所定の角度に規定される。
【０００４】
【発明が解決しようとする課題】
しかしながら、上記従来の工事用黒板において、脚の回動角度は、ストッパー部材の形状及び黒板本体との位置関係によって一義的に規定されるため、工事用黒板を工事現場等の状況に応じて、地面に対して所望の起立角度で起立させることはできない。このため、工事現場等の状況によっては、黒板本体を起立させることができなかったり、黒板本体の表面に工事名、工事明細、略図等を記載又は掲示し、これを現場写真として写真に写し込む際に、その写真写りが悪くなるといった問題があった。また、工事用黒板を起立させる際に接地した脚の先端部が地面に対して滑り、倒れやすくなるという問題もあった。
【０００５】
本発明が解決しようとする課題は、工事現場等の状況に応じて、地面に対する起立角度を容易に変更することができる工事用黒板を提供することにある。
【０００６】
【課題を解決するための手段】
上記課題を解決するために、本発明の工事用黒板は、黒板本体と、黒板本体を起立させるための脚とを有し、前記脚の基端部を黒板本体の裏面側に設けた脚取付部に回動可能に取り付ける工事用黒板において、前記脚取付部は、前記脚の基端部を回動可能に装着するための複数の脚装着部を有し、それぞれの脚装着部は、その脚装着部に装着された脚と当接して脚の回動角度を他の脚装着部とは異なる所定の角度に規定するストッパーを有することを特徴とするものである。
【０００７】
前記脚は、黒板本体を起立させたときに地面と接触する位置に、滑り止めのための滑り止め部を有するものとすることができる。また、黒板本体の裏面側に、開口部となる一辺が伸縮性の素材からなる面状の布又は網体を、前記伸縮性の素材が張った状態で固定することもできる。さらに、黒板本体は、軟磁性材料から形成することもできる。
【０００８】
【発明の実施の形態】
以下、図面に示す実施例に基づき本発明の実施の形態を説明する。
【０００９】
図１は、本発明の工事用黒板の使用状態を示す斜視図である。同図において、本発明の工事用黒板は、黒板本体１と、黒板本体１の周縁を囲むように設けた枠体２と、黒板本体１を起立させるための脚３と、脚３の基端部を回動可能に取り付けるための２つの脚取付部４，４と、黒板本体１の裏面側に固定した網体５とを有している。
【００１０】
黒板本体１は、炭素鋼等の軟磁性材料によって形成されており、磁石を利用することによって、その表面に工事名、工事明細、略図等を記載した資料を掲示することができる。
【００１１】
黒板本体１の周縁を囲む枠体２は、アルミニウム材からなり、黒板本体１の裏面側に突出するように設けられ、これによって黒板本体１と枠体２との間に空間が形成されている。
【００１２】
脚３は、図１において上部の基端側を開放させた逆台形状であり、２つの基端部をそれぞれ脚取付部４，４に回動可能に取り付けている。脚３の途中には２つのツマミ３ａ，３ａが対向して設けられ、また、工事用黒板１を起立させたときに地面と接触する先端部には滑り止めのための滑り止め部３ｂが設けられている。滑り止め部３ｂは、ゴム等の軟質材料で形成されている。
【００１３】
網体５は、黒板本体１の表面に工事名、工事明細、略図等を記載するときに使用するチョークや黒板消し等を収納する収納部となるもので、その開口部となる一辺をゴムベルト５ａで形成している。そして、このゴムベルト５ａを張った状態で他の辺を枠体２の内側面に沿って固定している。このように、網体５は黒板本体１と枠体２との間に形成された空間を利用して設けられている。本実施例では、上記のように形成された網体５を有するので、工事用黒板を逆さにしても、中に入れたチョークや黒板消し等が落ちることはない。
【００１４】
図２は、脚の基端部を回動可能に取り付けるための脚取付部４を示す図で、（ａ）は裏面図、（ｂ）は右側面図である。同図に示すように、脚取付部４は、第１の脚装着部４１と第２の脚装着部４２とを有している。第１の脚装着部４１は、脚３の基端部を回動可能に支持する支持孔４１ａとこの支持孔４１ａに装着された脚３と当接して脚３の回動角度を所定の角度に規定するストッパー４１ｂとからなる。第２の脚装着部４２も同様に、脚３の基端部を回動可能に支持する支持孔４２ａとこの支持孔４２ａに装着された脚３と当接して脚３の回動角度を所定の角度に規定するストッパー４２ｂとからなる。第１の脚装着部４１のストッパー４１ｂは、脚３の黒板本体１の裏面からの回動角度が所定の角度（α度）のときに脚３と当接するように形成されている。一方、第２の脚装着部４２のストッパー４２ｂは、脚３の黒板本体１の裏面からの回動角度がα度とは異なる所定の角度（β度）のときに脚３と当接するように形成されている。このように、第１の脚装着部４１に脚３を装着したときには、脚３の回動角度がα度に規定され、第２の脚装着部４２に脚３を装着したときには、脚３の回動角度がβ度に規定されるので、第１の脚装着部４１又は第２の脚装着部４２を選択することによって、工事用黒板の起立角度を変更することができる。また、図２中の４３は、工事用黒板を起立させないときに脚３を黒板本体１の裏面に沿わせて保持するための保持溝であり、図２（ａ）において右側及び下側が開口した形状としている。図２に示す脚取付部４は、図１に示すように黒板本体１の裏面上部の２箇所に、第１の脚装着部４１、第２の脚装着部４２及び保持溝４３をそれぞれ対向させて設けられる。
【００１５】
次に、本発明の工事用黒板の使用方法について図３〜図５を用いて説明する。図３は、工事用黒板を起立させないときに脚３を黒板本体１の裏面に沿わせて保持した状態を示す。図４は、工事用黒板を起立させるときに脚３の基端部を第１の脚装着部４１，４１に装着し回動させた状態を示し、（ａ）は側面図、（ｂ）は要部の裏面図である。図５は、工事用黒板を起立させるときに脚３の基端部を第２の脚装着部４２，４２に装着し回動させた状態を示し、（ａ）は側面図、（ｂ）は要部の裏面図である。
【００１６】
図３に示すように、工事用黒板を起立させないときには脚３の基端部は、第１の脚装着部４１，４１に装着され、かつ、その基端部から先端側に向けた一部分は保持溝４３，４３内で保持されている。したがって、この状態では脚３の回動は規制され、工事用黒板を持ち運ぶとき等に、脚３が回動して邪魔になることはない。
【００１７】
工事用黒板を起立させるために図３の状態から図４の状態にするには、まず、脚３に設けているツマミ３ａ，３ａをつまんで、図３中に矢印で示すように内側に寄せる。これによって、脚３の基端側は保持溝４３，４３から抜け出し、第１の脚装着部４１，４１を中心として回動可能となる。そして、脚３の基端側は、図２で説明したストッパー４１ｂに当接することによって回動が規制され、回動角度αに規定される。したがって、図４に示すように工事用黒板を約（９０−α）度の起立角度で起立させることができる。このとき、脚３の先端部の滑り止め部３ｂが地面に接地するので、脚３の接地部分が滑って工事用黒板が倒れることが防止される。
【００１８】
工事用黒板の起立角度を変更するために図３又は図４の状態から図５の状態にするには、ツマミ３ａ，３ａを脚３の基端部が第１の脚装着部４１，４１から外れるまで内側に寄せ、次に脚３の基端部を第２の脚装着部４２，４２に装着する。これによって、脚３は、第２の脚装着部４２，４２を中心として回動可能となる。そして、脚３の基端側は、図２で説明したストッパー４２ｂに当接することによって回動が規制され、図４の状態の回動角度αよりも小さい回動角度βに規定される。したがって、図５に示すように工事用黒板を図４の状態の起立角度よりも大きい約（９０−β）度の起立角度で起立させることができる。工事用黒板を使用後、脚３をもとの図３の状態に戻すときには、上述の手順と逆の手順で行えばよい。
【００１９】
以上のように、本実施例の工事用黒板では、脚３を装着する脚装着部として第１の脚装着部４１又は第２の脚装着部４２を選択することによって、脚３の回動角度を異なる角度に規定することができ、工事用黒板の起立角度を変更することができる。
【００２０】
なお、以上の実施例では、脚３の基端部を第１の脚装着部４１又は第２の脚装着部４２に装着したときに、それぞれ脚３をストッパー４１ｂ，４２ｂに当接させ、脚３の回動角度を最大の回動角度α，βとして起立させるようにしたが、第１の脚装着部４１においてストッパー４１ｂに当接させない状態にして回動角度をα度以下、又は第２の脚装着部４２においてストッパー４２ｂに当接させない状態にして回動角度をβ度以下として起立させることもできる。また、脚３を第１の脚装着部４１に装着したときの脚３の最大の回動角度をα度、第２の脚装着部４２に装着したときの脚３の最大の回動角度をβ度に規定するようにしたが、ストッパーの形状やストッパーと脚の支持孔との位置関係を変更することによって、脚の最大の回動角度を実施例とは異なる角度に規定することができる。また、実施例では第１と第２の２つの脚装着部を設けたが、３つ以上設けてもよい。この場合、それぞれの脚装着部における脚の回動角度を異なる角度に規定する。そうすれば、黒板の起立角度の変更の自由度を向上させることができる。
【００２１】
さらに、実施例では、黒板本体の裏面に収納部を形成するのに網体５を用いたが、布でもよい。この場合、布にギャザーを付けて伸縮性を向上させる。
【００２２】
【発明の効果】
本発明によれば以下の効果を奏する。
【００２３】
（１）脚の基端部を回動可能に装着するための複数の脚装着部を設け、それぞれの脚装着部には、その脚装着部に装着された脚と当接して脚の回動角度を他の脚装着部とは異なる所定の角度に規定するストッパーを設けたので、脚の基端部を装着する脚装着部を選択することによって、脚の回動角度を異なる角度に規定することができ、工事現場等の状況に応じて、地面に対する起立角度を容易に変更することができる。
【００２４】
（２）脚に滑り止めのための滑り止め部を設けたものでは、工事用黒板を起立させたときに脚３の接地部分が滑って工事用黒板が倒れることを防止できる。
【００２５】
（３）黒板本体の裏面側に、開口部となる一辺が伸縮性の素材からなる面状の布又は網体を、前記伸縮性の素材が張った状態で固定したものでは、工事用黒板を逆さにしても中に入れたチョークや黒板消し等が落ちない。また、布又は網体により押さえつけるので、持ち運びの際の振動などでチョークが割れたりしない。さらに、布又は網体であるので、収納物の大きさに自由度があり、メモ帳や小物なども収納することができる。
【００２６】
（４）黒板本体を軟磁性材料で形成したものでは、磁石を利用することによって、黒板本体の表面に工事名、工事明細、略図等を記載した資料を自由に掲示し、また取り外すことができる。
【図面の簡単な説明】
【図１】本発明の工事用黒板の使用状態を示す斜視図である。
【図２】脚の基端部を回動可能に取り付けるための脚取付部を示す図で、（ａ）は裏面図、（ｂ）は右側面図である。
【図３】工事用黒板を起立させないときに脚を黒板本体の裏面に沿わせて保持した状態を示す要部の裏面図である。
【図４】工事用黒板を起立させるときに脚の基端部を第１の脚装着部に装着し回動させた状態を示し、（ａ）は側面図、（ｂ）は要部の裏面図である。
【図５】工事用黒板を起立させるときに脚の基端部を第２の脚装着部に装着し回動させた状態を示し、（ａ）は側面図、（ｂ）は要部の裏面図である。
【図６】黒板本体を起立させるための脚を有する従来の工事用黒板の裏面図である。
【図７】図６に示す従来の工事用黒板における脚装着部の拡大斜視図である。
【符号の説明】
１　黒板本体
２　枠体
３　脚
３ａ　ツマミ
３ｂ　滑り止め部
４　脚取付部
４１　第１の脚装着部
４２　第１の脚装着部
４１ａ，４２ａ　支持孔
４１ｂ，４２ｂ　ストッパー
４３　保持溝
５　網体
５ａ　ゴムベルト
６　ストッパー部材
６ａ　突起部
【図１】
2004009643.tif 000003
【図２】
2004009643.tif 000004
【図３】
2004009643.tif 000005
【図４】
2004009643.tif 000006
【図５】
2004009643.tif 000007
【図６】
2004009643.tif 000008
【図７】
2004009643.tif 000009